(57)【要約】【課題】アクセスポイントにおける無線通信の通信性能を改善することができるアクセスポイント管理サーバ、アクセスポイント、通信システム、アクセスポイント管理方法、通信制御方法、アクセスポイント管理プログラム及び通信制御プログラムを提供する。【解決手段】複数のアクセスポイントと通信を行う第１の通信部と、複数のアクセスポイントから利用者端末の帰属に関する情報を含む無線通信に関する情報である無線通信情報を取得する情報取得部と、複数の前記アクセスポイントが、複数の第１のアクセスポイントと、第１のアクセスポイントよりも通信負荷が高い第２のアクセスポイントとを含む場合に、情報取得部が取得した無線通信情報に基づいて、第２のアクセスポイントに帰属している利用者端末を、複数の第１のアクセスポイントのいずれか一つに帰属させる帰属制御部とを備える。【選択図】図４
2017076860.tif 000002
【特許請求の範囲】
【請求項１】
利用者端末に対して無線ＬＡＮサービスを提供する複数のアクセスポイントと通信を行う第１の通信部と、
複数の前記アクセスポイントから前記利用者端末の帰属に関する情報を含む無線通信に関する情報である無線通信情報を取得する情報取得部と、
複数の前記アクセスポイントが、複数の第１のアクセスポイントと、前記第１のアクセスポイントよりも通信負荷が高い第２のアクセスポイントとを含む場合に、前記情報取得部が取得した前記無線通信情報に基づいて、前記第２のアクセスポイントに帰属している利用者端末を、複数の前記第１のアクセスポイントのいずれか一つに帰属させる帰属制御部と、
を備えるアクセスポイント管理サーバ。
【請求項２】
前記情報取得部が取得した前記無線通信情報に基づいて、前記アクセスポイントと当該アクセスポイントに帰属している利用者端末との通信性能に関する情報である帰属情報を格納する帰属情報格納部、前記アクセスポイント毎の通信性能に関する情報である通信性能情報格納部及び前記利用者端末と通信可能な位置にあるアクセスポイントに関する情報であるアクセスポイント情報を格納するアクセスポイント情報格納部の少なくとも一つを作成する情報作成部をさらに備え、
前記帰属制御部は、前記情報作成部が作成した帰属情報格納部、通信性能情報格納部及びアクセスポイント情報格納部の少なくとも一つに基づいて、利用者端末に対する帰属の制御を行う請求項１に記載のアクセスポイント管理サーバ。
【請求項３】
前記アクセスポイントは、無線通信における通信負荷が高いか否かを判断する判断部と、前記判断部において前記通信負荷が高いと判断した場合にアラートを前記通信部へ通知するアラート通知部とを備え、
前記情報取得部は、前記アクセスポイントからの前記アラートの通知に応じて前記無線通信情報を取得する請求項１又は請求項２に記載のアクセスポイント管理サーバ。
【請求項４】
利用者端末と無線ＬＡＮによる無線通信を行う無線通信部と、
ネットワークを介してサーバと通信を行う第２の通信部と、
前記サーバからの依頼に応じて、前記無線通信部における前記利用者端末の帰属に関する情報を含む無線通信に関する情報である無線通信情報を収集する情報収集部と、
前記情報収集部が収集した前記無線通信情報を前記サーバへ前記第２の通信部を介して送信する情報送信部と、
前記サーバから前記第２の通信部を介して受信する制御情報に基づいて、前記無線通信部における前記利用者端末の帰属を制御する制御部と
を備えるアクセスポイント。
【請求項５】
前記無線通信部における通信負荷が高いか否かを判断する判断部と、
前記判断部において前記通信負荷が高いと判断した場合にアラートを前記サーバへ通知するアラート通知部と、
をさらに備える請求項４に記載のアクセスポイント。
【請求項６】
利用者端末と無線通信を行う複数のアクセスポイントと、前記アクセスポイントに対して前記利用者端末との無線通信における帰属を制御するアクセスポイント管理サーバとを備える通信システムであって、
前記アクセスポイントは、
前記利用者端末と無線ＬＡＮによる無線通信を行う無線通信部と、
ネットワークを介して前記アクセスポイント管理サーバと通信を行う第２の通信部と、
前記アクセスポイント管理サーバからの依頼に応じて、前記無線通信部における前記利用者端末の帰属に関する情報を含む無線通信に関する情報である無線通信情報を収集する情報収集部と、
前記情報収集部が収集した前記無線通信情報を前記アクセスポイント管理サーバへ前記第２の通信部を介して送信する情報送信部と、
を備え、
前記アクセスポイント管理サーバは、
前記アクセスポイントと通信を行う第１の通信部と、
複数の前記アクセスポイントから前記無線通信情報を受信する情報取得部と、
複数の前記アクセスポイントが、複数の第１のアクセスポイントと、前記第１のアクセスポイントよりも通信負荷が高い第２のアクセスポイントとを含む場合に、前記情報取得部が受信した前記無線通信情報に基づいて、前記第２のアクセスポイントに帰属している利用者端末を、複数の前記第１のアクセスポイントのいずれか一つに帰属させる帰属制御部と、
を備える通信システム。
【請求項７】
利用者端末に対して無線ＬＡＮサービスを提供する複数のアクセスポイントと通信を行う第１の通信部を備えるアクセスポイント管理サーバを用いたアクセスポイント管理方法であって、
複数の前記アクセスポイントから前記利用者端末の帰属に関する情報を含む無線通信に関する情報である無線通信情報を取得する情報取得ステップと、
複数の前記アクセスポイントが、複数の第１のアクセスポイントと、前記第１のアクセスポイントよりも通信負荷が高い第２のアクセスポイントとを含む場合に、前記情報取得ステップにおいて取得した前記無線通信情報に基づいて、前記第２のアクセスポイントに帰属している利用者端末を、複数の前記第１のアクセスポイントのいずれか一つに帰属させる帰属制御ステップと、
を有するアクセスポイント管理方法。
【請求項８】
利用者端末と無線ＬＡＮによる無線通信を行う無線通信部と、ネットワークを介してサーバと通信を行う第２の通信部とを備えるアクセスポイントを用いた通信制御方法であって、
前記サーバからの依頼に応じて、前記無線通信部における前記利用者端末の帰属に関する情報を含む無線通信に関する情報である無線通信情報を収集する情報収集ステップと、
前記情報収集ステップにおいて収集した前記無線通信情報を前記サーバへ前記第２の通信部を介して送信する情報送信ステップと、
前記サーバから前記第２の通信部を介して受信する制御情報に基づいて、前記無線通信部における前記利用者端末の帰属を制御する制御ステップと、
を有する通信制御方法。
【請求項９】
利用者端末に対して無線ＬＡＮサービスを提供する複数のアクセスポイントと通信を行う第１の通信部を備えるアクセスポイント管理サーバで実行されるアクセスポイント管理プログラムであって、
複数の前記アクセスポイントから前記利用者端末の帰属に関する情報を含む無線通信に関する情報である無線通信情報を取得する情報取得ステップと、
複数の前記アクセスポイントが、複数の第１のアクセスポイントと、前記第１のアクセスポイントよりも通信負荷が高い第２のアクセスポイントとを含む場合に、前記情報取得ステップにおいて取得した前記無線通信情報に基づいて、前記第２のアクセスポイントに帰属している利用者端末を、複数の前記第１のアクセスポイントのいずれか一つに帰属させる帰属制御ステップと、
をコンピュータに実行させるためのアクセスポイント管理プログラム。
【請求項１０】
利用者端末と無線ＬＡＮによる無線通信を行う無線通信部と、ネットワークを介してサーバと通信を行う第２の通信部とを備えるアクセスポイントで実行される通信制御プログラムであって、
前記サーバからの依頼に応じて、前記無線通信部における前記利用者端末の帰属に関する情報を含む無線通信に関する情報である無線通信情報を収集する情報収集ステップと、
前記情報収集ステップにおいて収集した前記無線通信情報を前記サーバへ前記第２の通信部を介して送信する情報送信ステップと、
前記サーバから前記第２の通信部を介して受信する制御情報に基づいて、前記無線通信部における前記利用者端末の帰属を制御する制御ステップと、
をコンピュータに実行させるための通信制御プログラム。
【発明の詳細な説明】
【技術分野】
【０００１】
本発明は、アクセスポイント管理サーバ、アクセスポイント、通信システム、アクセスポイント管理方法、通信制御方法、アクセスポイント管理プログラム及び通信制御プログラムに関する。
【背景技術】
【０００２】
近年、無線ＬＡＮサービスが広く普及している。そして、無線ＬＡＮサービスを提供するためのアクセスポイント（以下、ＡＰという。）の設置場所は、オフィスや家庭に限らず公衆エリアの店舗などにも広がっている。このように色々な場所に設置されるようになり、ＡＰの設置数は、増加の一途を辿っている。ＡＰと無線通信可能な無線ＬＡＮ端末（以下、ＳＴＡ：Stationという）は、通信のために帰属するＡＰを選択する際に、受信信号強度やＳＴＡ所有者の指定に基づいてＡＰを選択している。
【先行技術文献】
【特許文献】
【０００３】
【特許文献１】特開平０８−２７４７８２号公報
【特許文献２】特開２００２−３５９８６４号公報
【発明の概要】
【発明が解決しようとする課題】
【０００４】
ＡＰが複数密集して設置される環境では、ＳＴＡの帰属が一つのＡＰに集中する場合がある。このような場合に、ＡＰは、過大な負荷を負うことになり、無線通信のスループット（単位時間あたりのデータ転送量）等の通信性能が悪化するという問題があった。
【０００５】
上記事情に鑑み、本発明は、アクセスポイントにおける無線通信の通信性能を改善することができるアクセスポイント管理サーバ、アクセスポイント、通信システム、アクセスポイント管理方法、通信制御方法、アクセスポイント管理プログラム及び通信制御プログラムを提供することを目的としている。
【課題を解決するための手段】
【０００６】
本発明の一態様は、利用者端末に対して無線ＬＡＮサービスを提供する複数のアクセスポイントと通信を行う第１の通信部と、複数の前記アクセスポイントから前記利用者端末の帰属に関する情報を含む無線通信に関する情報である無線通信情報を取得する情報取得部と、複数の前記アクセスポイントが、複数の第１のアクセスポイントと、前記第１のアクセスポイントよりも通信負荷が高い第２のアクセスポイントとを含む場合に、前記情報取得部が取得した前記無線通信情報に基づいて、前記第２のアクセスポイントに帰属している利用者端末を、複数の前記第１のアクセスポイントのいずれか一つに帰属させる帰属制御部と、を備えるアクセスポイント管理サーバである。
【０００７】
本発明の一態様は、上記のアクセスポイント管理サーバであって、前記情報取得部が取得した前記無線通信情報に基づいて、前記アクセスポイントと当該アクセスポイントに帰属している利用者端末との通信性能に関する情報である帰属情報を格納する帰属情報格納部、前記アクセスポイント毎の通信性能に関する情報である通信性能情報格納部及び前記利用者端末と通信可能な位置にあるアクセスポイントに関する情報であるアクセスポイント情報を格納するアクセスポイント情報格納部の少なくとも一つを作成する情報作成部をさらに備え、前記帰属制御部は、前記情報作成部が作成した帰属情報格納部、通信性能情報格納部及びアクセスポイント情報格納部の少なくとも一つに基づいて、利用者端末に対する帰属の制御を行う。
【０００８】
本発明の一態様は、上記のアクセスポイント管理サーバであって、前記アクセスポイントは、無線通信における通信負荷が高いか否かを判断する判断部と、前記判断部において前記通信負荷が高いと判断した場合にアラートを前記通信部へ通知するアラート通知部とを備え、前記情報取得部は、前記アクセスポイントからの前記アラートの通知に応じて前記無線通信情報を取得する。
【０００９】
本発明の一態様は、利用者端末と無線ＬＡＮによる無線通信を行う無線通信部と、ネットワークを介してサーバと通信を行う第２の通信部と、前記サーバからの依頼に応じて、前記無線通信部における前記利用者端末の帰属に関する情報を含む無線通信に関する情報である無線通信情報を収集する情報収集部と、前記情報収集部が収集した前記無線通信情報を前記サーバへ前記第２の通信部を介して送信する情報送信部と、前記サーバから前記第２の通信部を介して受信する制御情報に基づいて、前記無線通信部における前記利用者端末の帰属を制御する制御部とを備えるアクセスポイントである。
【００１０】
本発明の一態様は、上記のアクセスポイントであって、前記無線通信部における通信負荷が高いか否かを判断する判断部と、前記判断部において前記通信負荷が高いと判断した場合にアラートを前記サーバへ通知するアラート通知部とをさらに備える。
【００１１】
本発明の一態様は、利用者端末と無線通信を行う複数のアクセスポイントと、前記アクセスポイントに対して前記利用者端末との無線通信における帰属を制御するアクセスポイント管理サーバとを備える通信システムであって、前記アクセスポイントは、前記利用者端末と無線ＬＡＮによる無線通信を行う無線通信部と、ネットワークを介して前記アクセスポイント管理サーバと通信を行う第２の通信部と、前記アクセスポイント管理サーバからの依頼に応じて、前記無線通信部における前記利用者端末の帰属に関する情報を含む無線通信に関する情報である無線通信情報を収集する情報収集部と、前記情報収集部が収集した前記無線通信情報を前記アクセスポイント管理サーバへ前記第２の通信部を介して送信する情報送信部と、を備え、前記アクセスポイント管理サーバは、前記アクセスポイントと通信を行う第１の通信部と、複数の前記アクセスポイントから前記無線通信情報を受信する情報取得部と、複数の前記アクセスポイントが、複数の第１のアクセスポイントと、前記第１のアクセスポイントよりも通信負荷が高い第２のアクセスポイントとを含む場合に、前記情報取得部が受信した前記無線通信情報に基づいて、前記第２のアクセスポイントに帰属している利用者端末を、複数の前記第１のアクセスポイントのいずれか一つに帰属させる帰属制御部と、を備える通信システムである。
【００１２】
本発明の一態様は、利用者端末に対して無線ＬＡＮサービスを提供する複数のアクセスポイントと通信を行う第１の通信部を備えるアクセスポイント管理サーバを用いたアクセスポイント管理方法であって、複数の前記アクセスポイントから前記利用者端末の帰属に関する情報を含む無線通信に関する情報である無線通信情報を取得する情報取得ステップと、複数の前記アクセスポイントが、複数の第１のアクセスポイントと、前記第１のアクセスポイントよりも通信負荷が高い第２のアクセスポイントとを含む場合に、前記情報取得ステップにおいて取得した前記無線通信情報に基づいて、前記第２のアクセスポイントに帰属している利用者端末を、複数の前記第１のアクセスポイントのいずれか一つに帰属させる帰属制御ステップと、を有するアクセスポイント管理方法である。
【００１３】
本発明の一態様は、利用者端末と無線ＬＡＮによる無線通信を行う無線通信部と、ネットワークを介してサーバと通信を行う第２の通信部とを備えるアクセスポイントを用いた通信制御方法であって、前記サーバからの依頼に応じて、前記無線通信部における前記利用者端末の帰属に関する情報を含む無線通信に関する情報である無線通信情報を収集する情報収集ステップと、前記情報収集ステップにおいて収集した前記無線通信情報を前記サーバへ前記第２の通信部を介して送信する情報送信ステップと、前記サーバから前記第２の通信部を介して受信する制御情報に基づいて、前記無線通信部における前記利用者端末の帰属を制御する制御ステップと、を有する通信制御方法である。
【００１４】
本発明の一態様は、利用者端末に対して無線ＬＡＮサービスを提供する複数のアクセスポイントと通信を行う第１の通信部を備えるアクセスポイント管理サーバで実行されるアクセスポイント管理プログラムであって、複数の前記アクセスポイントから前記利用者端末の帰属に関する情報を含む無線通信に関する情報である無線通信情報を取得する情報取得ステップと、複数の前記アクセスポイントが、複数の第１のアクセスポイントと、前記第１のアクセスポイントよりも通信負荷が高い第２のアクセスポイントとを含む場合に、前記情報取得ステップにおいて取得した前記無線通信情報に基づいて、前記第２のアクセスポイントに帰属している利用者端末を、複数の前記第１のアクセスポイントのいずれか一つに帰属させる帰属制御ステップと、をコンピュータに実行させるためのアクセスポイント管理プログラムである。
【００１５】
本発明の一態様は、利用者端末と無線ＬＡＮによる無線通信を行う無線通信部と、ネットワークを介してサーバと通信を行う第２の通信部とを備えるアクセスポイントで実行される通信制御プログラムであって、前記サーバからの依頼に応じて、前記無線通信部における前記利用者端末の帰属に関する情報を含む無線通信に関する情報である無線通信情報を収集する情報収集ステップと、前記情報収集ステップにおいて収集した前記無線通信情報を前記サーバへ前記第２の通信部を介して送信する情報送信ステップと、
前記サーバから前記第２の通信部を介して受信する制御情報に基づいて、前記無線通信部における前記利用者端末の帰属を制御する制御ステップと、をコンピュータに実行させるための通信制御プログラムである。
【発明の効果】
【００１６】
本発明により、アクセスポイントにおける無線通信の通信性能を改善することができる。
【図面の簡単な説明】
【００１７】
【図１】本実施形態におけるＡＰ管理サーバと、アクセスポイントとを備える通信システムの構成例を示す図である。
【図２】本実施形態におけるアクセスポイント３の機能構成例を示すブロック図である。
【図３】本実施形態における閾値情報ＤＢ３０３のデータ構成例を示す図である。
【図４】本実施形態におけるＡＰ管理サーバ２の機能構成例を示すブロック図である。
【図５】本実施形態におけるアラート情報ＤＢ２２１及び帰属情報ＤＢ２２２のデータ構成例を示す図である。
【図６】本実施形態における通信性能情報ＤＢ２２３及び周辺ＡＰ情報ＤＢ２２４のデータ構成例を示す図である。
【図７】本実施形態における通信システムのする動作を示すシーケンス図である。
【図８】ＡＰ管理サーバ２及びアクセスポイント３の動作を示す第１のフロー図である。
【図９】ＡＰ管理サーバ２及びアクセスポイント３の動作を示す第２のフロー図である。
【図１０】通知ＡＰ帰属ＳＴＡリストＬ１の具体例を示す図である。
【図１１】第１変更ＳＴＡ候補リストＬ２の具体例を示す図である。
【図１２】ＡＰ管理サーバ２及びアクセスポイント３の動作を示す第３のフロー図である。
【図１３】第２変更ＳＴＡ候補リストＬ３及び帰属ＳＴＡリストＬ４の具体例を示す図である。
【図１４】ＡＰ管理サーバ２及びアクセスポイント３の動作を示す第４のフロー図である。
【図１５】ＡＰ管理サーバ２及びアクセスポイント３の動作を示す第５のフロー図である。
【図１６】ＡＰ管理サーバ２及びアクセスポイント３の動作を示す第６のフロー図である。
【図１７】本実施形態におけるＡＰ管理サーバ２のハードウェア構成例を示す図である。
【発明を実施するための形態】
【００１８】
以下、図面を参照して、本発明に係る一実施形態におけるアクセスポイント（ＡＰ）を管理するアクセスポイント管理サーバ（以下、ＡＰ管理サーバいう。）と、アクセスポイントとを備える通信システムについて説明する。
図１は、本実施形態におけるＡＰ管理サーバと、アクセスポイントとを備える通信システムの構成例を示す図である。本実施形態の通信システム１は、ＡＰ管理サーバ２と、アクセスポイントであるアクセスポイント３−１、３−２、３−３（以下、アクセスポイント３という）とを備える構成である。
【００１９】
ＡＰ管理サーバ２は、ネットワーク５を介してアクセスポイント３と接続されており、複数のアクセスポイント３における無線通信のスループットやフレームロス率等の値が、各アクセスポイント３でバラつかないよう管理するサーバである。アクセスポイント３は、無線ＬＡＮ端末であるＳＴＡ４−１、４−２、４−３、…、４−ｎ（以下、ＳＴＡ４という）に対して、例えばＷｉ−Ｆｉ（登録商標）サービス等の無線ＬＡＮサービスを提供する。無線通信可能エリア３−１Ａ、３−２Ａ、３−３Ａは、それぞれ各アクセスポイント３−１、３−２、３−３がＳＴＡ４と無線通信可能な範囲を示す。
【００２０】
ＳＴＡ４は、アクセスポイント３と無線ＬＡＮサービスを利用可能な無線ＬＡＮ端末であって、例えば、携帯電話等の移動体通信端末である。ＳＴＡ４は、無線通信可能エリア３−１Ａ、３−２Ａ、３−３Ａ内に存在するｎ台（ｎは４以上の自然数）のＳＴＡ４−１、４−２、４−３、…、４−ｎを含む。図１では、４台目〜ｎ−１台目までのＳＴＡを省略している。アクセスポイント３と通信可能な状態のＳＴＡ４は、アクセスポイント３に帰属しているという。
【００２１】
図１では、ＳＴＡ４−１は、アクセスポイント３−１に帰属しており、アクセスポイント３−１からの受信電力は−５０ｄＢｍである。また、ＳＴＡ４−１は、無線通信可能エリア３−１Ａと無線通信可能エリア３−２Ａとが重なるエリア内に位置している。ＳＴＡ４−２は、アクセスポイント３−２に帰属しており、アクセスポイント３−２からの受信電力は−５０ｄＢｍである。また、ＳＴＡ４−２は、無線通信可能エリア３−２Ａ内に位置している。ＳＴＡ４−３は、アクセスポイント３−３に帰属しており、アクセスポイント３−３からの受信電力は−５０ｄＢｍである。また、ＳＴＡ４−３は、無線通信可能エリア３−３Ａ内に位置している。ＳＴＡ４−ｎは、アクセスポイント３−１に帰属しており、アクセスポイント３−１からの受信電力は−４０ｄＢｍである。また、ＳＴＡ４−ｎは、無線通信可能エリア３−１Ａと無線通信可能エリア３−３Ａとが重なるエリア内に位置している。
【００２２】
ＡＰ管理サーバ２は、各アクセスポイント３に対して複数のＳＴＡ４が帰属している場合に、特定のアクセスポイント３に対して帰属するＳＴＡ４の内、一部のＳＴＡ４の帰属を切断させる制御、及び、他のアクセスポイントに対して一部のＳＴＡ４を帰属させる制御を行う。ＡＰ管理サーバ２は、ＳＴＡ４が各無線通信可能エリア３−１Ａ、３−２Ａ、３−３Ａ内に均一に存在する場合に、管理対象となる全てのアクセスポイント３においてスループット・フレームロス率等の値がほぼ均一となるように、アクセスポイント３に対するＳＴＡ４の帰属を制御する。これにより、ＡＰ管理サーバ２は、最適なアクセスポイント３とＳＴＡ４との帰属関係を構築することができる。
【００２３】
ＡＰ管理サーバ２は、管理対象の全てのアクセスポイント３から、ＳＴＡ４の帰属状況や通信品質に関する情報であるアクセスポイント情報を収集する機能を有する。ＡＰ管理サーバ２は、各アクセスポイント３からアクセスポイント情報を取得する。これにより、ＡＰ管理サーバ２は、ＳＴＡ４の帰属が集中しているアクセスポイント３や、ＳＴＡ４の帰属がほとんどないアクセスポイント３等を把握することができる。
【００２４】
ＡＰ管理サーバ２は、例えば、ＳＴＡ４の帰属が集中しているアクセスポイント３から、ＳＴＡ４の帰属が少ないアクセスポイント３へ、ＳＴＡ４の帰属を移動させる等の帰属の制御を行う機能を有する。このように、ＡＰ管理サーバ２は、アクセスポイント３とＳＴＡ４との帰属関係を管理することにより、特定のアクセスポイント３に通信負荷が集中することを防ぎ、管理対象となる複数のアクセスポイント３全体としての通信性能を改善することができる。
【００２５】
次に、本実施形態におけるアクセスポイント３の機能構成例について説明する。
図２は、本実施形態におけるアクセスポイント３の機能構成例を示すブロック図である。図２に示すように、アクセスポイント３は、制御部３００と、通信部３０１と、アラート処理部３０２と、閾値情報ＤＢ（データベース）３０３と、無線通信部３０４と、情報収集処理部３０５と、収集情報ＤＢ３０６と、リスト処理部３０７と、リスト格納部３０８とを備える。
【００２６】
制御部３００は、アクセスポイント３内の各部を制御する。制御部３００は、無線通信部３０４における無線通信のスループット合計及びフレームロス率等の情報をより取得して、アラート処理部３０２へ出力する。制御部３００は、無線通信部３０４における無線通信に関する制御を行う機能も有する。通信部３０１は、ネットワーク５を介してＡＰ管理サーバ２と通信を行う。
【００２７】
アラート処理部３０２は、閾値情報ＤＢ３０３に格納されているスループット合計及びフレームロス率の閾値を参照して、無線通信部３０４における無線通信のスループット合計又はフレームロス率が参照した閾値を超えたか否かを判定する。アラート処理部３０２は、無線通信部３０４における無線通信のスループット合計及びフレームロス率が参照した閾値を超えたと判定した場合は、通信部３０１を介してＡＰ管理サーバ２へアラート通知を出力する。
【００２８】
閾値情報ＤＢ３０３は、無線通信部３０４における無線通信のスループット合計及びフレームロス率についてアラート処理部３０２がアラート信号を出すか否かを判断する際に参照する閾値を格納する。ここで、本実施形態における閾値情報ＤＢ３０３のデータ構成例について説明する。図３は、本実施形態における閾値情報ＤＢ３０３のデータ構成例を示す図である。図３に示すとおり、閾値情報ＤＢ３０３は、各アクセスポイントを識別する「ＡＰ３−１」、「ＡＰ３−２」、「ＡＰ３−３」という情報に対応させて、それぞれのスループット合計に関する閾値「２００Ｍｂｐｓ」、「２００Ｍｂｐｓ」、「２００Ｍｂｐｓ」と、フレームロス率に関する閾値「５０％」、「５０％」、「５０％」とを格納している。
【００２９】
無線通信部３０４は、制御部３００の制御に応じてＳＴＡ４と無線ＬＡＮサービスを利用した無線通信を行う。情報収集処理部３０５は、無線通信部３０４を介して、帰属するＳＴＡ４に関する情報であるＳＴＡ情報、ＳＴＡ４における帰属先ＡＰからの受信電力（受信信号強度）に関する情報である電波情報及びＳＴＡ４における帰属先ＡＰとの通信におけるスループットに関する情報であるスループット情報等を、通信可能な周辺の複数のＳＴＡ４から収集する。情報収集処理部３０５は、ＡＰ管理サーバ２から無線通信部３０４を介して周辺のＳＴＡ４に関する情報等を収集するよう指示する信号である情報収集信号を受信して、その情報収集信号に応じて帰属するＳＴＡ４から情報の取得を行い、取得した情報をＡＰ管理サーバ２へ送信する。
【００３０】
収集情報ＤＢ３０６は、情報収集処理部３０５が収集した情報を格納しておくデータベースである。リスト処理部３０７は、リスト格納部３０８から参照した帰属ＳＴＡリストに応じて、帰属するＳＴＡ４の制御を制御部３００へ指示する。これにより、制御部３００は、無線通信部３０４を制御して、帰属ＳＴＡリストに掲載されたＳＴＡ４のみを帰属させる。リスト格納部３０８は、ＡＰ管理サーバ２から受信した帰属ＳＴＡリストを格納する。アクセスポイント３は、リスト格納部３０８に帰属ＳＴＡリストを格納している間は帰属ＳＴＡリストに掲載されているＳＴＡ４のみを帰属させる制御を継続する。
【００３１】
リスト処理部３０７は、ＡＰ管理サーバ２から帰属ＳＴＡリストの削除を命じる信号を受信した場合は、リスト格納部３０８に格納している帰属ＳＴＡリストを削除して、制御部３００に帰属ＳＴＡリストを削除したことを示す信号を送信する。これにより、制御部３００は、帰属ＳＴＡリストに掲載されているＳＴＡ４のみを帰属させる制御を停止して、通常の帰属制御を行うよう無線通信部３０４を制御する。
【００３２】
次に、本実施形態におけるＡＰ管理サーバ２の機能構成例について説明する。
図４は、本実施形態におけるＡＰ管理サーバ２の機能構成例を示すブロック図である。図４に示すように、ＡＰ管理サーバ２は、制御部２００と、通信部２０１と、アラート処理部２０２と、情報収集処理部２０３と、ＤＢ作成処理部２０４と、ＳＴＡ選定処理部２０５と、リスト格納部２０６と、リスト処理部２０７と、アラート情報ＤＢ２２１と、帰属情報ＤＢ２２２と、通信性能情報ＤＢ２２３と、周辺ＡＰ情報ＤＢ２２４とを備える。
【００３３】
制御部２００は、ＡＰ管理サーバ２内の破線で囲った各部の制御を行う。また、制御部２００は、アラート情報ＤＢ２２１、帰属情報ＤＢ２２２、通信性能情報ＤＢ２２３及び周辺ＡＰ情報ＤＢ２２４に格納されている情報を参照することができる。図４に示していないが、制御部２００と、ＡＰ管理サーバ２内の各部とは制御信号を送受信する制御線で接続されている。通信部２０１は、ネットワーク５を介してアクセスポイント３と通信を行う。
【００３４】
アラート処理部２０２は、通信部２０１を介してアクセスポイント３からアラート通知を受信した場合に、アラート情報ＤＢ２２１おいて、受信したアラート通知で特定されるアクセスポイント３に対応するアラート通知フラグを１に変更する処理を行う。アラート情報ＤＢ２２１は、各アクセスポイント３を特定する情報に対応させて、アラート通知の有無を示すフラグであるアラート通知フラグを格納する。本実施形態においては、アラート通知フラグ＝「１」でアラート通知有りを示し、アラート通知フラグ＝「０」でアラート通知無しを示す。また、初期値は、アラート通知フラグ＝「０」である。
【００３５】
ここで、本実施形態におけるアラート情報ＤＢ２２１のデータ構成例について説明する。図５（Ａ）は、本実施形態におけるアラート情報ＤＢ２２１のデータ構成例を示す図である。図５（Ａ）に示すとおり、アラート情報ＤＢ２２１は、各アクセスポイントを識別する「ＡＰ３−１」、「ＡＰ３−２」、「ＡＰ３−３」という情報に対応させて、アラート通知フラグ「１」、「０」、「０」を格納している。制御部２００は、アラート情報ＤＢ２２１においてアラート通知フラグが「１」に変化すると、情報収集処理部２０３へ情報収集処理の指示を行う。
【００３６】
情報収集処理部２０３は、制御部２００の指示に応じて、通信部２０１を介して管理対象の全てのアクセスポイント３に対して、ＳＴＡ情報、電波情報及びスループット情報等を収集するよう依頼する信号である情報収集信号を送信する。これにより、各アクセスポイント３は、ＳＴＡ情報、電波情報及びスループット情報等を収集する処理を行い、収集した情報をＡＰ管理サーバ２へ送信する。情報収集処理部２０３は、通信部２０１を介して各アクセスポイント３からＳＴＡ情報、電波情報及びスループット情報等を受信する。
【００３７】
ＤＢ作成処理部２０４は、情報収集処理部２０３が受信したＳＴＡ情報、電波情報及びスループット情報等に基づいて、帰属情報ＤＢ２２２、通信性能情報ＤＢ２２３及び周辺ＡＰ情報ＤＢ２２４を作成する。
【００３８】
ここで、本実施形態における帰属情報ＤＢ２２２のデータ構成例について説明する。図５（Ｂ）は、本実施形態における帰属情報ＤＢ２２２のデータ構成例を示す図である。図５（Ｂ）に示すとおり、帰属情報ＤＢ２２２は、各ＳＴＡ４を識別する情報に関連付けて、各ＳＴＡ４が帰属するアクセスポイント３を識別する情報と、アクセスポイント３のＭＡＣアドレス（Media Access Control address）と、各ＳＴＡ４と帰属するアクセスポイント３との無線通信の受信電力と、各ＳＴＡ４と帰属するアクセスポイント３との無線通信のスループットと、各ＳＴＡ４と帰属するアクセスポイント３との無線通信のフレームロス率とを格納している。各ＳＴＡ４を識別する情報は、「ＳＴＡ４−１」、「ＳＴＡ４−２」、「ＳＴＡ４−３」、「ＳＴＡ４−ｎ」が格納されている。
【００３９】
「ＳＴＡ４−１」に関連付けて、「ＡＰ３−１」、ＭＡＣアドレス「ａａ：ａａ：ａａ：ａａ：ａａ：ａａ：ａａ」、受信電力「−５０ｄＢｍ」、スループット「８０Ｍｂｐｓ」、フレームロス率「４０％」が格納されている。「ＳＴＡ４−２」に関連付けて、「ＡＰ３−２」、ＭＡＣアドレス「ｂｂ：ｂｂ：ｂｂ：ｂｂ：ｂｂ：ｂｂ：ｂｂ」、受信電力「−５０ｄＢｍ」、スループット「２００Ｍｂｐｓ」、フレームロス率「３０％」が格納されている。「ＳＴＡ４−３」に関連付けて、「ＡＰ３−３」、ＭＡＣアドレス「ｃｃ：ｃｃ：ｃｃ：ｃｃ：ｃｃ：ｃｃ：ｃｃ」、受信電力「−５０ｄＢｍ」、スループット「１２０Ｍｐｂｓ」、フレームロス率「２５％」が格納されている。「ＳＴＡ４−ｎ」に関連付けて、「ＡＰ３−１」、ＭＡＣアドレス「ｄｄ：ｄｄ：ｄｄ：ｄｄ：ｄｄ：ｄｄ：ｄｄ」、受信電力「−４０ｄＢｍ」、スループット「１３０Ｍｂｐｓ」、フレームロス率「４０％」が格納されている。
【００４０】
次に、本実施形態における通信性能情報ＤＢ２２３のデータ構成例について説明する。図６（Ａ）は、本実施形態における通信性能情報ＤＢ２２３のデータ構成例を示す図である。図６（Ａ）に示すとおり、通信性能情報ＤＢ２２３は、各アクセスポイント３を識別する情報に関連付けて、各アクセスポイント３のスループットの合計値と、各アクセスポイント３のフレームロス率の合計値とを格納している。
【００４１】
「ＡＰ３−１」に関連付けて、スループット合計「２１０Ｍｂｐｓ」、フレームロス率合計「Ｘ％」が格納されている。「ＡＰ３−２」に関連付けて、スループット合計「２００Ｍｂｐｓ」、フレームロス率合計「Ｙ％」が格納されている。「ＡＰ３−３」に関連付けて、スループット合計「１２０Ｍｂｐｓ」、フレームロス率合計「Ｚ％」が格納されている。
【００４２】
次に、本実施形態における周辺ＡＰ情報ＤＢ２２４のデータ構成例について説明する。図６（Ｂ）は、本実施形態における周辺ＡＰ情報ＤＢ２２４のデータ構成例を示す図である。図６（Ｂ）に示すとおり、周辺ＡＰ情報ＤＢ２２４は、各ＳＴＡ４を識別する情報に関連付けて、各ＳＴＡ４と通信可能な周辺のアクセスポイント３を識別する情報である「周辺ＡＰ情報」と、各ＳＴＡ４と通信可能な各アクセスポイント３との無線通信の受信電力である「周辺ＡＰの受信電力」とを格納している。ここで、各ＳＴＡ４と通信可能な周辺のアクセスポイント３は、各ＳＴＡ４を帰属させていないアクセスポイント３である。
【００４３】
「ＳＴＡ４−１」に関連付けて、周辺ＡＰ情報「ＡＰ３−２」、周辺ＡＰの受信電力「−７０ｄＢｍ」が格納されている。「ＳＴＡ４−１」に関連付けて、周辺ＡＰ情報「ＡＰ３−３」、周辺ＡＰの受信電力「−６０ｄＢｍ」が格納されている。「ＳＴＡ４−２」に関連付けて、周辺ＡＰ情報「−」、周辺ＡＰの受信電力「−」が格納されている。「ＳＴＡ４−３」に関連付けて、周辺ＡＰ情報「−」、周辺ＡＰの受信電力「−」が格納されている。「ＳＴＡ４−ｎ」に関連付けて、周辺ＡＰ情報「ＡＰ３−２」、周辺ＡＰの受信電力「−６０ｄＢｍ」が格納されている。「ＳＴＡ４−ｎ」に関連付けて、周辺ＡＰ情報「ＡＰ３−３」、周辺ＡＰの受信電力「−５０ｄＢｍ」が格納されている。なお、周辺ＡＰ情報「−」及び周辺ＡＰの受信電力「−」は、帰属しているアクセスポイント３以外に通信可能なアクセスポイント３が周辺にない状態を示している。
【００４４】
ＳＴＡ選定処理部２０５は、アラート通知フラグ＝１のアクセスポイント３（以下、通知ＡＰという）に帰属するＳＴＡ４の中から、帰属を変更するＳＴＡ４を選定する。ＳＴＡ選定処理部２０５は、通知ＡＰに帰属するＳＴＡ４のリストである通知ＡＰ帰属ＳＴＡリストを作成する機能を有する。ＳＴＡ選定処理部２０５は、作成した通知ＡＰ帰属ＳＴＡリストに基づいて、帰属を変更するＳＴＡ４の候補のリストである変更ＳＴＡ候補リストを作成する機能を有する。ＳＴＡ選定処理部２０５は、変更ＳＴＡ候補リストに基づいて、帰属を変更するＳＴＡ４を１つ選定する。  ＳＴＡ選定処理部２０５は、アラート情報ＤＢ２２１、帰属情報ＤＢ２２２、通信性能情報ＤＢ２２３及び周辺ＡＰ情報ＤＢ２２４を参照して、ＳＴＡ４を選定する処理を行う。
【００４５】
リスト格納部２０６は、ＳＴＡ選定処理部２０５が作成した通知ＡＰ帰属ＳＴＡリスト及び変更ＳＴＡ候補リストを格納する。
【００４６】
リスト処理部２０７は、ＳＴＡ選定処理部２０５が選定したＳＴＡ４の帰属の変更を反映した帰属ＳＴＡリストを作成して、通信部２０１を介して各アクセスポイント３へ送信する。帰属ＳＴＡリストとは、各アクセスポイント３を識別するＡＰ識別情報と、ＡＰ識別情報に対応するアクセスポイント３が帰属を許可するＳＴＡ４を特定するＳＴＡ識別情報との対応の一覧が記載されたリストである。アクセスポイント３のリスト格納部３０８に帰属ＳＴＡリストが格納されると、帰属ＳＴＡリストにおいて、ＡＰ識別情報に対応してＳＴＡ識別情報が記載されていないＳＴＡ４は、そのＡＰ識別情報で特定されるアクセスポイント３に帰属することができない。
【００４７】
次に、本実施形態における通信システム１の動作について説明する。
図７は、本実施形態における通信システム１の動作を示すシーケンス図である。図７に示すように、まず、ＳＴＡ４−１は、アクセスポイント３−１（ＡＰ３−１）に帰属する（ステップＳ１０１）。これにより、アクセスポイント３−１のスループットが閾値情報ＤＢ３０３に格納された閾値を超えたと判断した場合に、アラート処理部３０２は、ＡＰ管理サーバ２へアラート通知を出力する（ステップＳ１０２）。
【００４８】
ＡＰ管理サーバ２は、アラート通知の受信に応じて、アクセスポイント３−１（ＡＰ３−１）及びアクセスポイント３−３（ＡＰ３−３）を含む管理対象の全てのアクセスポイント３に対して、ＳＴＡ情報、電波情報及びスループット情報等を収集するよう依頼する信号である情報収集信号を送信する（ステップＳ１０３）。これにより、アクセスポイント３の情報収集処理部３０５は、ＳＴＡ４−１を含むＳＴＡ４からＳＴＡ情報、電波情報及びスループット情報等を取得する（ステップＳ１０４）。
【００４９】
アクセスポイント３の情報収集処理部３０５は、取得したＳＴＡ情報、電波情報及びスループット情報等をＡＰ管理サーバ２へ送信する（ステップＳ１０５）。ＡＰ管理サーバ２のＳＴＡ選定処理部２０５は、アクセスポイント３から受信したＳＴＡ情報、電波情報及びスループット情報等に基づいて、アクセスポイント３−１に帰属している複数のＳＴＡ４の中から帰属を変更するＳＴＡを選択する（ステップＳ１０６）。リスト処理部２０７は、選択されたＳＴＡの帰属先の変更を反映した帰属ＳＴＡリストを作成して、管理対象の全てのアクセスポイント３に対して送信する（ステップＳ１０７）。ここでは、ＳＴＡ４−１の帰属先を、アクセスポイント３−１（ＡＰ３−１）からアクセスポイント３−３（ＡＰ３−３）に変更する帰属ＳＴＡリストが送信されたとする。
【００５０】
アクセスポイント３−１（ＡＰ３−１）は、受信した帰属ＳＴＡリストに応じてＳＴＡ４−１の帰属を切断する（ステップＳ１０８）。これにより、ＳＴＡ４−１は、アクセスポイント３−１（ＡＰ３−１）に帰属要求を送信しても接続することができない（ステップＳ１０９）。ＳＴＡ４−１がアクセスポイント３−３（ＡＰ３−３）に帰属要求を送信することで、アクセスポイント３−３（ＡＰ３−３）は、ＳＴＡ４−１を帰属させる（ステップＳ１１０）。
【００５１】
以上の通信システム１の動作によって、通信負荷の高いアクセスポイント３−１（ＡＰ３−１）に帰属しているＳＴＡ４−１の帰属を解消することで、アクセスポイント３−１（ＡＰ３−１）の通信負荷を低減することができる。また、帰属の変更先となるアクセスポイント３の通信負荷に関する情報も把握しているので、帰属済みのＳＴＡ４を通信負荷の少ないアクセスポイント３に帰属するよう制御することができる。これにより、複数のアクセスポイント３における通信負荷の偏りを低減することができる。
【００５２】
次に、通信システム１のＡＰ管理サーバ２及びアクセスポイント３の動作について、図８、図９、図１２、図１４〜図１６のフロー図を用いて、通知ＡＰ帰属ＳＴＡリスト及び変更ＳＴＡ候補リストの具体例を示しながら説明する。
【００５３】
図８は、ＡＰ管理サーバ２及びアクセスポイント３の動作を示す第１のフロー図である。アクセスポイント３のアラート処理部３０２は、閾値情報ＤＢ３０３を参照して、無線通信部３０４における無線通信のスループット合計又はフレームロス率が参照した閾値を超えたか否かを判定する（ステップＳ２０１）。無線通信部３０４における無線通信のスループット合計又はフレームロス率が参照した閾値を超えていないと判定した場合（ステップＳ２０１のＮＯ）は、アラート処理部３０２は、ステップＳ２０１に戻る。
【００５４】
無線通信部３０４における無線通信のスループット合計又はフレームロス率が参照した閾値を超えたと判定した場合（ステップＳ２０１のＹＥＳ）は、アラート処理部３０２は、通信部３０１を介してＡＰ管理サーバ２へアラート通知を送信する（ステップＳ２０２）。ＡＰ管理サーバ２のアラート処理部２０２は、通信部２０１を介してアクセスポイント３からアラート通知を受信した場合に、アラート情報ＤＢ２２１おいて、受信したアラート通知で特定されるアクセスポイント３に対応するアラート通知フラグを１に変更する（ステップＳ２０３）。
【００５５】
情報収集処理部２０３は、管理対象の全てのアクセスポイント３に対して、ＳＴＡ情報、電波情報及びスループット情報等を収集するよう依頼する信号である情報収集信号を送信する（ステップＳ２０４）。各アクセスポイント３は、ＳＴＡ情報、電波情報及びスループット情報等を収集する処理を行い（ステップＳ２０５）、収集した情報をＡＰ管理サーバ２へ送信する（ステップＳ２０６）。情報収集処理部２０３は、通信部２０１を介して各アクセスポイント３からＳＴＡ情報、電波情報及びスループット情報等を受信する。ＤＢ作成処理部２０４は、情報収集処理部２０３が受信したＳＴＡ情報、電波情報及びスループット情報等に基づいて、帰属情報ＤＢ２２２、通信性能情報ＤＢ２２３及び周辺ＡＰ情報ＤＢ２２４を作成する（ステップＳ２０７）。
【００５６】
図９は、ＡＰ管理サーバ２及びアクセスポイント３の動作を示す第２のフロー図である。ＡＰ管理サーバ２のＳＴＡ選定処理部２０５は、通知ＡＰに帰属するＳＴＡ４のリストである図１０に示す通知ＡＰ帰属ＳＴＡリストＬ１を作成する（ステップＳ２０８）。図１０は、通知ＡＰ帰属ＳＴＡリストＬ１の具体例を示す図である。図１０に示すように、通知ＡＰ帰属ＳＴＡリストＬ１は、通知ＡＰに帰属するＳＴＡ４を識別するＳＴＡ識別情報に対応させて、帰属の変更先候補となるアクセスポイント３との無線通信の受信電力である「帰属先受信電力」と、通信ＡＰであるアクセスポイント３との無線通信のスループットである「帰属元スループット」と、帰属の変更先候補となるアクセスポイント３を識別するＡＰ識別情報と、帰属の変更先候補となるアクセスポイント３における無線通信のスループットの合計である「帰属先スループット」とを格納するリストである。
【００５７】
ＳＴＡ識別情報「ＳＴＡ４−ｎ」に関連付けて、帰属先受信電力「−５０ｄＢｍ」、帰属元スループット「１３０Ｍｂｐｓ」、ＡＰ識別情報「ＡＰ３−３」及び帰属先スループット「１２０Ｍｂｐｓ」を対応付けている。ＳＴＡ識別情報「ＳＴＡ４−ｎ」に関連付けて、帰属先受信電力「−６０ｄＢｍ」、帰属元スループット「１３０Ｍｂｐｓ」、ＡＰ識別情報「ＡＰ３−２」及び帰属先スループット「２００Ｍｂｐｓ」を対応付けている。ＳＴＡ識別情報「ＳＴＡ４−１」に関連付けて、帰属先受信電力「−６０ｄＢｍ」、帰属元スループット「８０Ｍｂｐｓ」、ＡＰ識別情報「ＡＰ３−３」及び帰属先スループット「１２０Ｍｂｐｓ」を対応付けている。ＳＴＡ識別情報「ＳＴＡ４−１」に関連付けて、帰属先受信電力「−７０ｄＢｍ」、帰属元スループット「８０Ｍｂｐｓ」、ＡＰ識別情報「ＡＰ３−２」及び帰属先スループット「２００Ｍｂｐｓ」を対応付けている。
【００５８】
ＳＴＡ選定処理部２０５は、通知ＡＰ帰属ＳＴＡリストＬ１からＳＴＡ４を１つずつ選択する（ステップＳ２０９）。なお、通知ＡＰ帰属ＳＴＡリストＬ１におけるＳＴＡ４は、帰属先受信電力の大きさ順に並べられているので、ステップＳ２０９においては、その順番で選択される。
【００５９】
ＳＴＡ選定処理部２０５は、選択したＳＴＡ４を帰属先候補のアクセスポイント３に帰属させたと仮定した場合のアクセスポイント３のスループット合計を推定し、推定したスループット合計が閾値を超えたか否かを判断する（ステップＳ２１０）。スループット合計を推定する計算式は、以下の式である。
スループットの推定値＝帰属元スループット＋帰属先スループット
通知ＡＰ帰属ＳＴＡリストＬ１に対して、全てのＳＴＡ４について推定したスループット合計を対応させたものが図１０下段に示す通知ＡＰ帰属ＳＴＡリストＬ１’である。
【００６０】
ここで、推定したスループット合計が閾値以下と判断した場合（ステップＳ２１０のＹＥＳ）には、ＳＴＡ選定処理部２０５は、ステップＳ２０９において選択したＳＴＡ４を第１変更ＳＴＡ候補リストＬ２に追加する（ステップＳ２１１）。ここでは、通知ＡＰ帰属ＳＴＡリストＬ１’の３行目に示されるように、ＳＴＡ４−１をアクセスポイント３−３（ＡＰ３−３）に帰属するよう変更した場合にのみ、帰属先スループットが閾値以下となる。よって、ＳＴＡ選定処理部２０５は、通知ＡＰ帰属ＳＴＡリストＬ１’の３行目のＳＴＡ４−１を第１変更ＳＴＡ候補リストＬ２に追加する。
【００６１】
図１１は、第１変更ＳＴＡ候補リストＬ２の具体例を示す図である。図１１に示すように、第１変更ＳＴＡ候補リストＬ２は、通知ＡＰに帰属するＳＴＡ４を識別するＳＴＡ識別情報に対応させて、「帰属先受信電力」と、「帰属元スループット」と、帰属の変更先候補となるアクセスポイント３を識別するＡＰ識別情報とを格納するリストである。ＳＴＡ識別情報「ＳＴＡ４−１」に関連付けて、帰属先受信電力「−６０ｄＢｍ」、帰属元スループット「８０Ｍｂｐｓ」及びＡＰ識別情報「ＡＰ３−３」を対応付けている。
【００６２】
ＳＴＡ選定処理部２０５は、通知ＡＰ帰属ＳＴＡリストＬ１に含まれる全てのＳＴＡ４について処理したか判断する（ステップＳ２１２）。また、推定したスループット合計が閾値を超えたと判断した場合（ステップＳ２１０のＮＯ）には、ＳＴＡ選定処理部２０５は、ステップＳ２１２へ進む。通知ＡＰ帰属ＳＴＡリストＬ１に含まれる全てのＳＴＡ４について処理していない判断した場合（ステップＳ２１２のＮＯ）は、ＳＴＡ選定処理部２０５は、ステップＳ２０９に戻る。
【００６３】
図１２は、ＡＰ管理サーバ２及びアクセスポイント３の動作を示す第３のフロー図である。通知ＡＰ帰属ＳＴＡリストＬ１に含まれる全てのＳＴＡ４について処理したと判断した場合（ステップＳ２１２のＹＥＳ）は、図１２に示すようにＳＴＡ選定処理部２０５は、第１変更ＳＴＡ候補リストＬ２にＳＴＡ４が存在するか否かを判断する（ステップＳ２１３）。第１変更ＳＴＡ候補リストＬ２にＳＴＡ４が存在しないと判断した場合は、ＳＴＡ選定処理部２０５は、ステップＳ２０１に戻る。第１変更ＳＴＡ候補リストＬ２にＳＴＡ４が存在すると判断した場合は、ＳＴＡ選定処理部２０５は、第１変更ＳＴＡ候補リストＬ２に含まれるＳＴＡ４を１つずつ選択する（ステップＳ２１４）。
【００６４】
ＳＴＡ選定処理部２０５は、通知ＡＰであるアクセスポイント３を帰属元ＡＰとして、ステップＳ２１４において選択したＳＴＡ４の帰属を他のアクセスポイント３に変更したと仮定して、帰属変更後の帰属元ＡＰのスループット合計を以下の式で推定する。
帰属変更後の帰属元ＡＰのスループット合計＝帰属元スループットの合計−帰属元スループット
ここで、帰属元スループットの合計とは、帰属変更前の帰属元ＡＰのスループットの合計である。第１変更ＳＴＡ候補リストＬ２に対して、全てのＳＴＡ４について帰属元スループットの合計及び推定した帰属変更後の帰属元ＡＰのスループット合計を対応させたものが図１１下段に示す第１変更ＳＴＡ候補リストＬ２’である。
【００６５】
ＳＴＡ選定処理部２０５は、上記式で推定した帰属変更後の帰属元ＡＰのスループット合計が閾値以下か否かを判断する（ステップＳ２１５）。推定した帰属変更後の帰属元ＡＰのスループット合計が閾値以下であると判断した場合（ステップＳ２１５のＹＥＳ）には、ＳＴＡ選定処理部２０５は、ステップＳ２１４で選択したＳＴＡ４を第２変更ＳＴＡ候補リストＬ３に追加する（ステップＳ２１６）。
【００６６】
図１３（Ａ）は、第２変更ＳＴＡ候補リストＬ３の具体例を示す図である。図１３（Ａ）に示すように、第２変更ＳＴＡ候補リストＬ３は、通知ＡＰに帰属するＳＴＡ４を識別するＳＴＡ識別情報に対応させて、「帰属先受信電力」と、「帰属元スループット」と、帰属の変更先候補となるアクセスポイント３を識別するＡＰ識別情報とを格納するリストである。ＳＴＡ識別情報「ＳＴＡ４−１」に関連付けて、帰属先受信電力「−６０ｄＢｍ」、帰属元スループット「８０Ｍｂｐｓ」及びＡＰ識別情報「ＡＰ３−３」を対応付けている。
【００６７】
推定した帰属変更後の帰属元ＡＰのスループット合計が閾値以下ではないと判断した場合（ステップＳ２１５のＮＯ）には、ＳＴＡ選定処理部２０５は、ステップＳ２１７へ進む。ＳＴＡ選定処理部２０５は、第１変更ＳＴＡ候補リストＬ２に含まれる全てのＳＴＡ４を処理したか否かを判断する（ステップＳ２１７）。第１変更ＳＴＡ候補リストＬ２に含まれる全てのＳＴＡ４を処理していないと判断した場合（ステップＳ２１７のＮＯ）には、ＳＴＡ選定処理部２０５は、ステップＳ２１４に戻る。第１変更ＳＴＡ候補リストＬ２に含まれる全てのＳＴＡ４を処理したと判断した場合（ステップＳ２１７のＹＥＳ）には、ＳＴＡ選定処理部２０５は、第２変更ＳＴＡ候補リストＬ３にＳＴＡ４が存在するか否かを判断する（ステップＳ２１８）。
【００６８】
図１４は、ＡＰ管理サーバ２及びアクセスポイント３の動作を示す第４のフロー図である。
第２変更ＳＴＡ候補リストＬ３にＳＴＡ４が存在すると判断した場合（ステップＳ２１８のＹＥＳ）には、図１４に示すようにＳＴＡ選定処理部２０５は、第２変更ＳＴＡ候補リストＬ３に複数のＳＴＡ４が存在するか否かを判断する（ステップＳ２２０）。
【００６９】
第２変更ＳＴＡ候補リストＬ３に複数のＳＴＡ４が存在しないと判断した場合（ステップＳ２２０のＮＯ）には、ＳＴＡ選定処理部２０５は、第２変更ＳＴＡ候補リストＬ３に含まれるＳＴＡ４を選定する。リスト処理部２０７は、ＳＴＡ選定処理部２０５が選定したＳＴＡ４を帰属ＳＴＡリストＬ４に追加して（ステップＳ２２５）、ステップＳ２２４へ進む。
【００７０】
図１３（Ｂ）は、帰属ＳＴＡリストＬ４の具体例を示す図である。図１３（Ｂ）に示すように、帰属ＳＴＡリストＬ４は、アクセスポイント３を識別するＡＰ識別情報と、ＡＰ識別情報で特定されるアクセスポイント３に帰属させるＳＴＡ４を識別するＳＴＡ識別情報とを対応させたリストである。ＡＰ識別情報「ＡＰ３−１」に対応させてＳＴＡ識別情報「ＳＴＡ４−ｎ」が格納される。ＡＰ識別情報「ＡＰ３−２」に対応させてＳＴＡ識別情報「ＳＴＡ４−２」が格納される。ＡＰ識別情報「ＡＰ３−３」に対応させてＳＴＡ識別情報「ＳＴＡ４−１」と「ＳＴＡ４−３」とが格納される。
【００７１】
第２変更ＳＴＡ候補リストＬ３に複数のＳＴＡ４が存在すると判断した場合（ステップＳ２２０のＹＥＳ）には、ＳＴＡ選定処理部２０５は、第２変更ＳＴＡ候補リストＬ３の中でスループットが最小のＳＴＡ４が複数存在するか否かを判断する（ステップＳ２２１）。第２変更ＳＴＡ候補リストＬ３の中でスループットが最小のＳＴＡ４が複数存在しないと判断した場合（ステップＳ２２１のＮＯ）には、ＳＴＡ選定処理部２０５は、第２変更ＳＴＡ候補リストＬ３の中でスループットが最小のＳＴＡ４を選定する。リスト処理部２０７は、ＳＴＡ選定処理部２０５が選定したＳＴＡ４を帰属ＳＴＡリストＬ４に追加して（ステップＳ２２６）、ステップＳ２２４へ進む。
【００７２】
第２変更ＳＴＡ候補リストＬ３の中でスループットが最小のＳＴＡ４が複数存在すると判断した場合（ステップＳ２２１のＹＥＳ）には、ＳＴＡ選定処理部２０５は、スループットが最小のＳＴＡ４の中で受信電力が最小のＳＴＡ４が複数存在するか否かを判断する（ステップＳ２２２）。
【００７３】
スループットが最小のＳＴＡ４の中で受信電力が最小のＳＴＡ４が複数存在しないと判断した場合（ステップＳ２２２のＮＯ）には、ＳＴＡ選定処理部２０５は、第２変更ＳＴＡ候補リストＬ３の中でスループット及び受信電力が最小のＳＴＡ４を帰属ＳＴＡリストＬ４に追加して（ステップＳ２２７）、ステップＳ２２４へ進む。スループットが最小のＳＴＡ４の中で受信電力が最小のＳＴＡ４が複数存在すると判断した場合（ステップＳ２２２のＹＥＳ）には、ＳＴＡ選定処理部２０５は、スループット及び受信電力が最小のＳＴＡ４の中でＭＡＣアドレスが最小のＳＴＡ４を選定する。リスト処理部２０７は、ＳＴＡ選定処理部２０５が選定したＳＴＡ４を帰属ＳＴＡリストＬ４に追加する（ステップＳ２２３）。
【００７４】
リスト処理部２０７は、ＳＴＡ選定処理部２０５が選定したＳＴＡ４の帰属の変更を反映した帰属ＳＴＡリストＬ４を作成する（ステップＳ２２４）。
【００７５】
図１５は、ＡＰ管理サーバ２及びアクセスポイント３の動作を示す第５のフロー図である。
図１２において第２変更ＳＴＡ候補リストＬ３にＳＴＡ４が存在しないと判断した場合（ステップＳ２１８のＮＯ）には、図１５に示すようにＳＴＡ選定処理部２０５は、第１変更ＳＴＡ候補リストＬ２に複数のＳＴＡ４が存在するか否かを判断する（ステップＳ２２８）。
【００７６】
第１変更ＳＴＡ候補リストＬ２に複数のＳＴＡ４が存在しないと判断した場合（ステップＳ２２８のＮＯ）には、ＳＴＡ選定処理部２０５は、第１変更ＳＴＡ候補リストＬ２に含まれるＳＴＡ４を選定する。リスト処理部２０７は、ＳＴＡ選定処理部２０５が選定したＳＴＡ４を帰属ＳＴＡリストＬ４に追加して（ステップＳ２３３）、ステップＳ２３２へ進む。
【００７７】
第１変更ＳＴＡ候補リストＬ２に複数のＳＴＡ４が存在すると判断した場合（ステップＳ２２８のＹＥＳ）には、ＳＴＡ選定処理部２０５は、第１変更ＳＴＡ候補リストＬ２の中でスループットが最小のＳＴＡ４が複数存在するか否かを判断する（ステップＳ２２９）。第１変更ＳＴＡ候補リストＬ２の中でスループットが最小のＳＴＡ４が複数存在しないと判断した場合（ステップＳ２２９のＮＯ）には、ＳＴＡ選定処理部２０５は、第１変更ＳＴＡ候補リストＬ２の中でスループットが最小のＳＴＡ４を選定する。リスト処理部２０７は、ＳＴＡ選定処理部２０５が選定したＳＴＡ４を帰属ＳＴＡリストＬ４に追加して（ステップＳ２３４）、ステップＳ２３２へ進む。
【００７８】
第１変更ＳＴＡ候補リストＬ２の中でスループットが最小のＳＴＡ４が複数存在すると判断した場合（ステップＳ２２９のＹＥＳ）には、ＳＴＡ選定処理部２０５は、スループットが最小のＳＴＡ４の中で受信電力が最小のＳＴＡ４が複数存在するか否かを判断する（ステップＳ２３０）。
【００７９】
スループットが最小のＳＴＡ４の中で受信電力が最小のＳＴＡ４が複数存在しないと判断した場合（ステップＳ２３０のＮＯ）には、ＳＴＡ選定処理部２０５は、第１変更ＳＴＡ候補リストＬ２の中でスループット及び受信電力が最小のＳＴＡ４を帰属ＳＴＡリストＬ４に追加して（ステップＳ２３５）、ステップＳ２３２へ進む。スループットが最小のＳＴＡ４の中で受信電力が最小のＳＴＡ４が複数存在すると判断した場合（ステップＳ２３０のＹＥＳ）には、ＳＴＡ選定処理部２０５は、スループット及び受信電力が最小のＳＴＡ４の中でＭＡＣアドレスが最小のＳＴＡ４を選定する。リスト処理部２０７は、ＳＴＡ選定処理部２０５が選定したＳＴＡ４を帰属ＳＴＡリストＬ４に追加する（ステップＳ２３１）。
【００８０】
リスト処理部２０７は、ＳＴＡ選定処理部２０５が選定したＳＴＡ４の帰属の変更を反映した帰属ＳＴＡリストＬ４を作成する（ステップＳ２３２）。
【００８１】
図１６は、ＡＰ管理サーバ２及びアクセスポイント３の動作を示す第６のフロー図である。
図１６に示すようにＡＰ管理サーバ２のリスト処理部２０７は、管理対象となる全てのアクセスポイント３へ帰属ＳＴＡリストＬ４を送信する（ステップＳ２３６）。アクセスポイント３は、受信した帰属ＳＴＡリストＬ４に応じて、無線通信部３０４を制御して、帰属ＳＴＡリストＬ４に掲載されたＳＴＡ４のみを帰属させる（ステップＳ２３７）。また、アクセスポイント３は、受信した帰属ＳＴＡリストＬ４に応じて、無線通信部３０４を制御して、帰属ＳＴＡリストＬ４において当該アクセスポイント３と対応していないＳＴＡ４が帰属していればその接続を切断する（ステップＳ２３７）。
【００８２】
アクセスポイント３は、帰属ＳＴＡリストＬ４に基づく帰属処理が完了した後に、ＡＰ管理サーバ２へ帰属処理完了の通知を行う（ステップＳ２３８）。ＡＰ管理サーバ２のアラート処理部２０２は、アクセスポイント３から帰属処理完了の通知を受信すると、アラート情報ＤＢ２２１の全てのアクセスポイント３のアラート通知フラグ＝０にする（ステップＳ２３９）。
【００８３】
ＡＰ管理サーバ２は、管理対象となる全てのアクセスポイント３に対して帰属ＳＴＡリストＬ４を削除する命令を送信する（ステップＳ２４０）。これにより、各アクセスポイント３は、リスト格納部３０８に格納している帰属ＳＴＡリストＬ４を削除する。各アクセスポイント３は、帰属ＳＴＡリストＬ４の削除を終えると、帰属ＳＴＡリストＬ４を削除した旨をＡＰ管理サーバ２へ通知する。これにより、ＡＰ管理サーバ２は、各アクセスポイント３において帰属ＳＴＡリストＬ４が削除された旨の情報を取得することができる。
【００８４】
次に、本実施形態におけるＡＰ管理サーバ２のハードウェア構成例について説明する。
図１７は、本実施形態におけるＡＰ管理サーバ２のハードウェア構成例を示す図である。図１７に示すように、ＡＰ管理サーバ２は、ＣＰＵ（中央演算装置）２０と、制御プログラム２１０を格納するメインメモリ２１と、通信制御部２２と、記憶装置２３とを備える。ＣＰＵ２０は、メインメモリ２１から制御プログラム２１０を読み出して実行することで、ＡＰ管理サーバ２内の各部の制御等を行う。通信制御部２２は、ネットワーク５を介してアクセスポイント３と通信を行う。
【００８５】
記憶装置２３は、第１のＳＴＡ情報保持部２３１と、第２のＳＴＡ情報保持部２３２と、スループット情報保持部２３３と、受信信号強度データ保持部２３４と、ＳＴＡ端末数保持部２３５と、ＳＴＡ優先順位保持部２３６と、帰属先変更候補保持部２３７と、帰属元変更候補保持部２３８と、帰属変更リスト保持部２３９とを備える。
【００８６】
第１のＳＴＡ情報保持部２３１は、アクセスポイント３と帰属関係のＳＴＡ４に関する情報を保持する。第１のＳＴＡ情報保持部２３１は、例えば、帰属関係のアクセスポイント３とＳＴＡ４における受信電力、帰属アクセスポイントのスループット等の情報を保持する。第２のＳＴＡ情報保持部２３２は、帰属関係にない周辺のアクセスポイント３とＳＴＡ４の関係に関する情報を保持する。第２のＳＴＡ情報保持部２３２は、例えば、周辺のアクセスポイント３と、ＳＴＡ４との受信電力に関する情報を保持する。
【００８７】
スループット情報保持部２３３は、各ＳＴＡ４のスループットに関する情報を保持する。受信信号強度データ保持部２３４は、各ＳＴＡ４の受信信号強度に関する情報を保持する。ＳＴＡ端末数保持部２３５は、ＳＴＡ４の数に関する情報を保持する。ＳＴＡ優先順位保持部２３６は、帰属を変更する対象となるＳＴＡの優先順位（例えば受信電力順）に関する情報を保持する。帰属先変更候補保持部２３８は、帰属先を変更するＳＴＡ４の候補に関する情報を保持する。帰属先変更候補保持部２３７は、ＳＴＡ４の変更後の帰属先となるアクセスポイント３の候補に関する情報を保持する。帰属元変更候補保持部２３８は、ＳＴＡ４の変更後の帰属先となるアクセスポイント３の候補に関する情報を保持する。帰属変更リスト保持部２３９は、各アクセスポイントに送信される帰属変更リストを保持する。
【００８８】
なお、図４の制御部２００、通信部２０１、アラート処理部２０２、情報収集処理部２０３、ＤＢ作成処理部２０４、ＳＴＡ選定処理部２０５、リスト格納部２０６及びリスト処理部２０７は、図１７に示したＣＰＵ２０、通信制御部２２及びメインメモリ２１のハードウェア及び制御プログラム２１０を用いることで実現される。また、図４のアラート情報ＤＢ２２１、帰属情報ＤＢ２２２、通信性能情報ＤＢ２２３及び周辺ＡＰ情報ＤＢ２２４は、図１７に示した記憶装置２３内の各保持部により実現される。
【００８９】
なお、ＡＰ管理サーバ２が管理対象とするアクセスポイント３の台数は、３台に限定されるものではなく、数十台又は数百台であってもよい。
【００９０】
上述した実施形態におけるＡＰ管理サーバ２及びアクセスポイント３内の各機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００９１】
以上、この発明の実施形態について図面を参照して詳述してきたが、具体的な構成はこの実施形態に限られるものではなく、この発明の要旨を逸脱しない範囲の設計等も含まれる。
【符号の説明】
【００９２】
１…通信システム，２…アクセスポイント管理サーバ，３…アクセスポイント，４…ＳＴＡ，２０１…通信部，２０２…アラート処理部，２０３…情報収集処理部，２０４…ＤＢ作成処理部，２０５…ＳＴＡ選定処理部，２０６…リスト格納部，２０７…リスト処理部，２２１…アラート情報ＤＢ，２２２…帰属情報ＤＢ，２２３…通信性能情報ＤＢ，２２４…周辺ＡＰ情報ＤＢ，３０７…リスト処理部，３０８…リスト格納部
【図１】
2017076860.tif 000003
【図２】
2017076860.tif 000004
【図３】
2017076860.tif 000005
【図４】
2017076860.tif 000006
【図５】
2017076860.tif 000007
【図６】
2017076860.tif 000008
【図７】
2017076860.tif 000009
【図８】
2017076860.tif 000010
【図９】
2017076860.tif 000011
【図１０】
2017076860.tif 000012
【図１１】
2017076860.tif 000013
【図１２】
2017076860.tif 000014
【図１３】
2017076860.tif 000015
【図１４】
2017076860.tif 000016
【図１５】
2017076860.tif 000017
【図１６】
2017076860.tif 000018
【図１７】
2017076860.tif 000019
【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
利用者端末に対して無線ＬＡＮサービスを提供する複数のアクセスポイントと通信を行う第１の通信部と、
複数の前記アクセスポイントから前記利用者端末の帰属に関する情報を含む無線通信に関する情報である無線通信情報を取得する情報取得部と、
複数の前記アクセスポイントが、複数の第１のアクセスポイントと、前記第１のアクセスポイントよりも通信負荷が高い第２のアクセスポイントとを含む場合に、前記情報取得部が取得した前記無線通信情報に基づいて、前記第２のアクセスポイントに帰属している利用者端末を、当該利用者端末が通信可能な前記第１のアクセスポイントに帰属させたときに前記第２のアクセスポイントの通信負荷が所定以下となり、かつ、前記第１のアクセスポイントの通信負荷が所定以下となる前記利用者端末を帰属先変更候補として選択し、選択された前記利用者端末が複数ある場合に、当該複数の利用者端末の中から前記第２のアクセスポイントとの無線通信のスループット又は前記第１のアクセスポイントとの無線通信の受信電力に基づいて帰属先変更対象の利用者端末を選択し、帰属先変更対象として選択された前記利用者端末を当該利用者端末が通信可能な前記第１のアクセスポイントに帰属させる帰属制御部と、
を備えるアクセスポイント管理サーバ。
【請求項２】
前記情報取得部が取得した前記無線通信情報に基づいて、前記アクセスポイントと当該アクセスポイントに帰属している利用者端末との通信性能に関する情報である帰属情報、前記アクセスポイント毎の通信性能に関する情報である通信性能情報及び前記利用者端末と通信可能な位置にあるアクセスポイントに関する情報であるアクセスポイント情報の少なくとも一つを作成する情報作成部をさらに備え、
前記帰属制御部は、前記情報作成部が作成した前記帰属情報、前記通信性能情報及び前記アクセスポイント情報の少なくとも一つに基づいて、利用者端末に対する帰属の制御を行う請求項１に記載のアクセスポイント管理サーバ。
【請求項３】
前記アクセスポイントは、無線通信における通信負荷が高いか否かを判断する判断部と、前記判断部において前記通信負荷が高いと判断した場合にアラートを前記第１の通信部へ通知するアラート通知部とを備え、
前記情報取得部は、前記アクセスポイントからの前記アラートの通知に応じて前記無線通信情報を取得する請求項１又は請求項２に記載のアクセスポイント管理サーバ。
【請求項４】
利用者端末と無線ＬＡＮによる無線通信を行う無線通信部と、
ネットワークを介してサーバと通信を行う第２の通信部と、
前記サーバからの依頼に応じて、前記無線通信部における前記利用者端末の帰属に関する情報を含む無線通信に関する情報である無線通信情報を収集する情報収集部と、
前記情報収集部が収集した前記無線通信情報を前記サーバへ前記第２の通信部を介して送信する情報送信部と、
前記サーバから前記第２の通信部を介して受信する制御情報に自装置への帰属が掲載された前記利用者端末のみを帰属させ、前記制御情報に自装置への帰属が掲載されていない前記利用者端末が帰属していれば当該利用者端末との接続を切断するよう、前記無線通信部における前記利用者端末の帰属を制御する制御部と
を備えるアクセスポイント。
【請求項５】
前記無線通信部における通信負荷が高いか否かを判断する判断部と、
前記判断部において前記通信負荷が高いと判断した場合にアラートを前記サーバへ通知するアラート通知部と、
をさらに備える請求項４に記載のアクセスポイント。
【請求項６】
利用者端末と無線通信を行う複数のアクセスポイントと、前記アクセスポイントに対して前記利用者端末との無線通信における帰属を制御するアクセスポイント管理サーバとを備える通信システムであって、
前記アクセスポイントは、
前記利用者端末と無線ＬＡＮによる無線通信を行う無線通信部と、
ネットワークを介して前記アクセスポイント管理サーバと通信を行う第２の通信部と、
前記アクセスポイント管理サーバからの依頼に応じて、前記無線通信部における前記利用者端末の帰属に関する情報を含む無線通信に関する情報である無線通信情報を収集する情報収集部と、
前記情報収集部が収集した前記無線通信情報を前記アクセスポイント管理サーバへ前記第２の通信部を介して送信する情報送信部と、
を備え、
前記アクセスポイント管理サーバは、
前記アクセスポイントと通信を行う第１の通信部と、
複数の前記アクセスポイントから前記無線通信情報を受信する情報取得部と、
複数の前記アクセスポイントが、複数の第１のアクセスポイントと、前記第１のアクセスポイントよりも通信負荷が高い第２のアクセスポイントとを含む場合に、前記情報取得部が受信した前記無線通信情報に基づいて、前記第２のアクセスポイントに帰属している利用者端末を、当該利用者端末が通信可能な前記第１のアクセスポイントに帰属させたときに前記第２のアクセスポイントの通信負荷が所定以下となり、かつ、前記第１のアクセスポイントの通信負荷が所定以下となる前記利用者端末を帰属先変更候補として選択し、選択された前記利用者端末が複数ある場合に、当該複数の利用者端末の中から前記第２のアクセスポイントとの無線通信のスループット又は前記第１のアクセスポイントとの無線通信の受信電力に基づいて帰属先変更対象の利用者端末を選択し、帰属先変更対象として選択された前記利用者端末を当該利用者端末が通信可能な前記第１のアクセスポイントに帰属させる帰属制御部と、
を備える通信システム。
【請求項７】
利用者端末に対して無線ＬＡＮサービスを提供する複数のアクセスポイントと通信を行う第１の通信部を備えるアクセスポイント管理サーバを用いたアクセスポイント管理方法であって、
複数の前記アクセスポイントから前記利用者端末の帰属に関する情報を含む無線通信に関する情報である無線通信情報を取得する情報取得ステップと、
複数の前記アクセスポイントが、複数の第１のアクセスポイントと、前記第１のアクセスポイントよりも通信負荷が高い第２のアクセスポイントとを含む場合に、前記情報取得ステップにおいて取得した前記無線通信情報に基づいて、前記第２のアクセスポイントに帰属している利用者端末を、当該利用者端末が通信可能な前記第１のアクセスポイントに帰属させたときに前記第２のアクセスポイントの通信負荷が所定以下となり、かつ、前記第１のアクセスポイントの通信負荷が所定以下となる前記利用者端末を帰属先変更候補として選択し、選択された前記利用者端末が複数ある場合に、当該複数の利用者端末の中から前記第２のアクセスポイントとの無線通信のスループット又は前記第１のアクセスポイントとの無線通信の受信電力に基づいて帰属先変更対象の利用者端末を選択し、帰属先変更対象として選択された前記利用者端末を当該利用者端末が通信可能な前記第１のアクセスポイントに帰属させる帰属制御ステップと、
を有するアクセスポイント管理方法。
【請求項８】
利用者端末と無線ＬＡＮによる無線通信を行う無線通信部と、ネットワークを介してサーバと通信を行う第２の通信部とを備えるアクセスポイントを用いた通信制御方法であって、
前記サーバからの依頼に応じて、前記無線通信部における前記利用者端末の帰属に関する情報を含む無線通信に関する情報である無線通信情報を収集する情報収集ステップと、
前記情報収集ステップにおいて収集した前記無線通信情報を前記サーバへ前記第２の通信部を介して送信する情報送信ステップと、
前記サーバから前記第２の通信部を介して受信する制御情報に自装置への帰属が掲載された前記利用者端末のみを帰属させ、前記制御情報に自装置への帰属が掲載されていない前記利用者端末が帰属していれば当該利用者端末との接続を切断するよう、前記無線通信部における前記利用者端末の帰属を制御する制御ステップと、
を有する通信制御方法。
【請求項９】
利用者端末に対して無線ＬＡＮサービスを提供する複数のアクセスポイントと通信を行う第１の通信部を備えるアクセスポイント管理サーバで実行されるアクセスポイント管理プログラムであって、
複数の前記アクセスポイントから前記利用者端末の帰属に関する情報を含む無線通信に関する情報である無線通信情報を取得する情報取得ステップと、
複数の前記アクセスポイントが、複数の第１のアクセスポイントと、前記第１のアクセスポイントよりも通信負荷が高い第２のアクセスポイントとを含む場合に、前記情報取得ステップにおいて取得した前記無線通信情報に基づいて、前記第２のアクセスポイントに帰属している利用者端末を、当該利用者端末が通信可能な前記第１のアクセスポイントに帰属させたときに前記第２のアクセスポイントの通信負荷が所定以下となり、かつ、前記第１のアクセスポイントの通信負荷が所定以下となる前記利用者端末を帰属先変更候補として選択し、選択された前記利用者端末が複数ある場合に、当該複数の利用者端末の中から前記第２のアクセスポイントとの無線通信のスループット又は前記第１のアクセスポイントとの無線通信の受信電力に基づいて帰属先変更対象の利用者端末を選択し、帰属先変更対象として選択された前記利用者端末を当該利用者端末が通信可能な前記第１のアクセスポイントに帰属させる帰属制御ステップと、
をコンピュータに実行させるためのアクセスポイント管理プログラム。
【請求項１０】
利用者端末と無線ＬＡＮによる無線通信を行う無線通信部と、ネットワークを介してサーバと通信を行う第２の通信部とを備えるアクセスポイントで実行される通信制御プログラムであって、
前記サーバからの依頼に応じて、前記無線通信部における前記利用者端末の帰属に関する情報を含む無線通信に関する情報である無線通信情報を収集する情報収集ステップと、
前記情報収集ステップにおいて収集した前記無線通信情報を前記サーバへ前記第２の通信部を介して送信する情報送信ステップと、
前記サーバから前記第２の通信部を介して受信する制御情報に自装置への帰属が掲載された前記利用者端末のみを帰属させ、前記制御情報に自装置への帰属が掲載されていない前記利用者端末が帰属していれば当該利用者端末との接続を切断するよう、前記無線通信部における前記利用者端末の帰属を制御する制御ステップと、
をコンピュータに実行させるための通信制御プログラム。
【手続補正２】
【補正対象書類名】明細書
【補正対象項目名】０００６
【補正方法】変更
【補正の内容】
【０００６】
本発明の一態様は、利用者端末に対して無線ＬＡＮサービスを提供する複数のアクセスポイントと通信を行う第１の通信部と、複数の前記アクセスポイントから前記利用者端末の帰属に関する情報を含む無線通信に関する情報である無線通信情報を取得する情報取得部と、複数の前記アクセスポイントが、複数の第１のアクセスポイントと、前記第１のアクセスポイントよりも通信負荷が高い第２のアクセスポイントとを含む場合に、前記情報取得部が取得した前記無線通信情報に基づいて、前記第２のアクセスポイントに帰属している利用者端末を、当該利用者端末が通信可能な前記第１のアクセスポイントに帰属させたときに前記第２のアクセスポイントの通信負荷が所定以下となり、かつ、前記第１のアクセスポイントの通信負荷が所定以下となる前記利用者端末を帰属先変更候補として選択し、選択された前記利用者端末が複数ある場合に、当該複数の利用者端末の中から前記第２のアクセスポイントとの無線通信のスループット又は前記第１のアクセスポイントとの無線通信の受信電力に基づいて帰属先変更対象の利用者端末を選択し、帰属先変更対象として選択された前記利用者端末を当該利用者端末が通信可能な前記第１のアクセスポイントに帰属させる帰属制御部と、を備えるアクセスポイント管理サーバである。
【手続補正３】
【補正対象書類名】明細書
【補正対象項目名】０００７
【補正方法】変更
【補正の内容】
【０００７】
本発明の一態様は、上記のアクセスポイント管理サーバであって、前記情報取得部が取得した前記無線通信情報に基づいて、前記アクセスポイントと当該アクセスポイントに帰属している利用者端末との通信性能に関する情報である帰属情報、前記アクセスポイント毎の通信性能に関する情報である通信性能情報及び前記利用者端末と通信可能な位置にあるアクセスポイントに関する情報であるアクセスポイント情報の少なくとも一つを作成する情報作成部をさらに備え、前記帰属制御部は、前記情報作成部が作成した前記帰属情報、前記通信性能情報及び前記アクセスポイント情報の少なくとも一つに基づいて、利用者端末に対する帰属の制御を行う。
【手続補正４】
【補正対象書類名】明細書
【補正対象項目名】０００８
【補正方法】変更
【補正の内容】
【０００８】
本発明の一態様は、上記のアクセスポイント管理サーバであって、前記アクセスポイントは、無線通信における通信負荷が高いか否かを判断する判断部と、前記判断部において前記通信負荷が高いと判断した場合にアラートを前記第１の通信部へ通知するアラート通知部とを備え、前記情報取得部は、前記アクセスポイントからの前記アラートの通知に応じて前記無線通信情報を取得する。
【手続補正５】
【補正対象書類名】明細書
【補正対象項目名】０００９
【補正方法】変更
【補正の内容】
【０００９】
本発明の一態様は、利用者端末と無線ＬＡＮによる無線通信を行う無線通信部と、ネットワークを介してサーバと通信を行う第２の通信部と、前記サーバからの依頼に応じて、前記無線通信部における前記利用者端末の帰属に関する情報を含む無線通信に関する情報である無線通信情報を収集する情報収集部と、前記情報収集部が収集した前記無線通信情報を前記サーバへ前記第２の通信部を介して送信する情報送信部と、前記サーバから前記第２の通信部を介して受信する制御情報に自装置への帰属が掲載された前記利用者端末のみを帰属させ、前記制御情報に自装置への帰属が掲載されていない前記利用者端末が帰属していれば当該利用者端末との接続を切断するよう、前記無線通信部における前記利用者端末の帰属を制御する制御部とを備えるアクセスポイントである。
【手続補正６】
【補正対象書類名】明細書
【補正対象項目名】００１１
【補正方法】変更
【補正の内容】
【００１１】
本発明の一態様は、利用者端末と無線通信を行う複数のアクセスポイントと、前記アクセスポイントに対して前記利用者端末との無線通信における帰属を制御するアクセスポイント管理サーバとを備える通信システムであって、前記アクセスポイントは、前記利用者端末と無線ＬＡＮによる無線通信を行う無線通信部と、ネットワークを介して前記アクセスポイント管理サーバと通信を行う第２の通信部と、前記アクセスポイント管理サーバからの依頼に応じて、前記無線通信部における前記利用者端末の帰属に関する情報を含む無線通信に関する情報である無線通信情報を収集する情報収集部と、前記情報収集部が収集した前記無線通信情報を前記アクセスポイント管理サーバへ前記第２の通信部を介して送信する情報送信部と、を備え、前記アクセスポイント管理サーバは、前記アクセスポイントと通信を行う第１の通信部と、複数の前記アクセスポイントから前記無線通信情報を受信する情報取得部と、複数の前記アクセスポイントが、複数の第１のアクセスポイントと、前記第１のアクセスポイントよりも通信負荷が高い第２のアクセスポイントとを含む場合に、前記情報取得部が受信した前記無線通信情報に基づいて、前記第２のアクセスポイントに帰属している利用者端末を、当該利用者端末が通信可能な前記第１のアクセスポイントに帰属させたときに前記第２のアクセスポイントの通信負荷が所定以下となり、かつ、前記第１のアクセスポイントの通信負荷が所定以下となる前記利用者端末を帰属先変更候補として選択し、選択された前記利用者端末が複数ある場合に、当該複数の利用者端末の中から前記第２のアクセスポイントとの無線通信のスループット又は前記第１のアクセスポイントとの無線通信の受信電力に基づいて帰属先変更対象の利用者端末を選択し、帰属先変更対象として選択された前記利用者端末を当該利用者端末が通信可能な前記第１のアクセスポイントに帰属させる帰属制御部と、を備える通信システムである。
【手続補正７】
【補正対象書類名】明細書
【補正対象項目名】００１２
【補正方法】変更
【補正の内容】
【００１２】
本発明の一態様は、利用者端末に対して無線ＬＡＮサービスを提供する複数のアクセスポイントと通信を行う第１の通信部を備えるアクセスポイント管理サーバを用いたアクセスポイント管理方法であって、複数の前記アクセスポイントから前記利用者端末の帰属に関する情報を含む無線通信に関する情報である無線通信情報を取得する情報取得ステップと、複数の前記アクセスポイントが、複数の第１のアクセスポイントと、前記第１のアクセスポイントよりも通信負荷が高い第２のアクセスポイントとを含む場合に、前記情報取得ステップにおいて取得した前記無線通信情報に基づいて、前記第２のアクセスポイントに帰属している利用者端末を、当該利用者端末が通信可能な前記第１のアクセスポイントに帰属させたときに前記第２のアクセスポイントの通信負荷が所定以下となり、かつ、前記第１のアクセスポイントの通信負荷が所定以下となる前記利用者端末を帰属先変更候補として選択し、選択された前記利用者端末が複数ある場合に、当該複数の利用者端末の中から前記第２のアクセスポイントとの無線通信のスループット又は前記第１のアクセスポイントとの無線通信の受信電力に基づいて帰属先変更対象の利用者端末を選択し、帰属先変更対象として選択された前記利用者端末を当該利用者端末が通信可能な前記第１のアクセスポイントに帰属させる帰属制御ステップと、を有するアクセスポイント管理方法である。
【手続補正８】
【補正対象書類名】明細書
【補正対象項目名】００１３
【補正方法】変更
【補正の内容】
【００１３】
本発明の一態様は、利用者端末と無線ＬＡＮによる無線通信を行う無線通信部と、ネットワークを介してサーバと通信を行う第２の通信部とを備えるアクセスポイントを用いた通信制御方法であって、前記サーバからの依頼に応じて、前記無線通信部における前記利用者端末の帰属に関する情報を含む無線通信に関する情報である無線通信情報を収集する情報収集ステップと、前記情報収集ステップにおいて収集した前記無線通信情報を前記サーバへ前記第２の通信部を介して送信する情報送信ステップと、前記サーバから前記第２の通信部を介して受信する制御情報に自装置への帰属が掲載された前記利用者端末のみを帰属させ、前記制御情報に自装置への帰属が掲載されていない前記利用者端末が帰属していれば当該利用者端末との接続を切断するよう、前記無線通信部における前記利用者端末の帰属を制御する制御ステップと、を有する通信制御方法である。
【手続補正９】
【補正対象書類名】明細書
【補正対象項目名】００１４
【補正方法】変更
【補正の内容】
【００１４】
本発明の一態様は、利用者端末に対して無線ＬＡＮサービスを提供する複数のアクセスポイントと通信を行う第１の通信部を備えるアクセスポイント管理サーバで実行されるアクセスポイント管理プログラムであって、複数の前記アクセスポイントから前記利用者端末の帰属に関する情報を含む無線通信に関する情報である無線通信情報を取得する情報取得ステップと、複数の前記アクセスポイントが、複数の第１のアクセスポイントと、前記第１のアクセスポイントよりも通信負荷が高い第２のアクセスポイントとを含む場合に、前記情報取得ステップにおいて取得した前記無線通信情報に基づいて、前記第２のアクセスポイントに帰属している利用者端末を、当該利用者端末が通信可能な前記第１のアクセスポイントに帰属させたときに前記第２のアクセスポイントの通信負荷が所定以下となり、かつ、前記第１のアクセスポイントの通信負荷が所定以下となる前記利用者端末を帰属先変更候補として選択し、選択された前記利用者端末が複数ある場合に、当該複数の利用者端末の中から前記第２のアクセスポイントとの無線通信のスループット又は前記第１のアクセスポイントとの無線通信の受信電力に基づいて帰属先変更対象の利用者端末を選択し、帰属先変更対象として選択された前記利用者端末を当該利用者端末が通信可能な前記第１のアクセスポイントに帰属させる帰属制御ステップと、をコンピュータに実行させるためのアクセスポイント管理プログラムである。
【手続補正１０】
【補正対象書類名】明細書
【補正対象項目名】００１５
【補正方法】変更
【補正の内容】
【００１５】
本発明の一態様は、利用者端末と無線ＬＡＮによる無線通信を行う無線通信部と、ネットワークを介してサーバと通信を行う第２の通信部とを備えるアクセスポイントで実行される通信制御プログラムであって、前記サーバからの依頼に応じて、前記無線通信部における前記利用者端末の帰属に関する情報を含む無線通信に関する情報である無線通信情報を収集する情報収集ステップと、前記情報収集ステップにおいて収集した前記無線通信情報を前記サーバへ前記第２の通信部を介して送信する情報送信ステップと、前記サーバから前記第２の通信部を介して受信する制御情報に自装置への帰属が掲載された前記利用者端末のみを帰属させ、前記制御情報に自装置への帰属が掲載されていない前記利用者端末が帰属していれば当該利用者端末との接続を切断するよう、前記無線通信部における前記利用者端末の帰属を制御する制御ステップと、をコンピュータに実行させるための通信制御プログラムである。
【手続補正１１】
【補正対象書類名】明細書
【補正対象項目名】００８３
【補正方法】変更
【補正の内容】
【００８３】
ＡＰ管理サーバ２は、管理対象となる全てのアクセスポイント３に対して帰属ＳＴＡリストＬ４を削除する命令を送信する（ステップＳ２４０）。これにより、各アクセスポイント３は、リスト格納部３０８に格納している帰属ＳＴＡリストＬ４を削除する。各アクセスポイント３は、帰属ＳＴＡリストＬ４の削除を終えると、帰属ＳＴＡリストＬ４を削除した旨をＡＰ管理サーバ２へ通知する（ステップＳ２４１）。これにより、ＡＰ管理サーバ２は、各アクセスポイント３において帰属ＳＴＡリストＬ４が削除された旨の情報を取得することができる。